(57)【特許請求の範囲】
【請求項１】
リールシート装着部位から竿元端に亘って、竿素材に台座シートを巻回し、前記リールシート装着部位においては、竿先側から竿元側に至る範囲に亘って大径化するように研磨加工を施したテーパ面を有するリールシート用テーパ状取付座に形成し、
前記テーパ状取付座の竿元端部から手元側竿体の竿元端までは、前記リールシート用テーパ状取付座の竿元側端部の外形と同じ外径が維持されるグリップ取付用直線状取付座に形成してある釣り竿用のグリップ構造。
【請求項２】
前記テーパ面のテーパが、６．４９／１０００〜１４．４１／１０００である請求項１記載の釣り竿用のグリップ構造。
【請求項３】
前記台座シートがプリプレグシートであり、かつ、そのプリプレグシートにおける強化繊維の向きは竿軸線に対して傾斜する状態に設定してあり、前記プリプレグシートを竿素材に複数プライ巻回して取付座を形成している請求項１または２に記載の釣り竿用のグリップ構造。
【請求項４】
請求項１〜３のうちのいずれか一項に記載の釣り竿用のグリップ構造を備えた釣り竿。
【発明の詳細な説明】
【技術分野】
【０００１】
本発明は、ジギング釣り等に使用される釣り竿用のグリップ構造及び釣り竿に関する。
【背景技術】
【０００２】
ジギング釣りにおいては、竿先から垂らしたルアーを海中において上下させることによって、魚を誘って釣り上げるものである。したがって、釣り竿は、ルアーを持ち上げる場合には、釣り人に保持されている手元側竿体部分を中心にして大きな弧を描く曲り状態となり、ルアーを沈降させる際には弧を緩めながら曲りの緩い状態に戻る。このような変化をルアーの上下動に従って繰り返している。
したがって、釣り竿を煽る場合に釣り竿全体が突っ張りなく曲がると、手元側竿体を握る釣り人の負担が少なく、釣り感覚も良好になる。
【０００３】
上記した釣り竿において、リールシートを取り付けている手元側竿体部分の強度向上を図る為に、手元側竿体の所定位置に取付座を形成している。この取付座としては、プリプレグ製の台座シートを竿体の外周面に複数プライに亘って巻き付けて形成したものがあった。
【先行技術文献】
【特許文献】
【０００４】
【特許文献１】特開２００６−１６６８４１号公報
【発明の概要】
【発明が解決しようとする課題】
【０００５】
上記した取付座においては、リールシート部分に限定したものであるが、リアグリップ部分の強化も併せて図る目的より、図４に示すように、手元側竿体１の略全域に亘ってプリプレグ製の台座シート１２を巻回し、シート面１２Ｃをセンタレス加工によって竿元端に至るまで、同一径で直線状に形成したものがあった。
この釣り竿を使用して、釣り操作を行った場合に、長期に亘る使用によって、台座シートを巻回して形成した取付座の竿先側端と竿体の外周面との段差が形成されている先側部分１２ａに亀裂ｄが発生することがあった。
このような場合に、亀裂発生部位にガラス繊維製のプリプレグ補強シートを施すことも考えられるが、構造が複雑で重量が嵩む虞れもあり、軽量化の要請に反するものとなる。
【０００６】
一方、リールシート装着部分の強化という面からの技術を適用する観点も重要ではあるが、もう一つの面としては、釣り竿を上下させて魚を誘う操作を行う場合や魚を抜き上げる場合には、釣り竿の姿勢として、角張らない円滑な円弧を描けることが必要である。その円弧はリールシートの部分も同様である。例えば、リールシート部分だけが、六角形の一辺のように直線状を呈すると、その部分が突っ張った状態になり、円滑な釣り操作ができにくくなる。
【０００７】
このような場合に、亀裂の発生の原因となったと考えられる段差をなくす為に、前記したように、マンドレルに巻回した後焼成した状態の竿素材１Ａ（図５に示す）そのものを手元側竿体１として使用することも考えられる。この場合には確かに取付座と称する大径の膨出部がなく手元側竿体の全長に亘ってマンドレルに巻回された状態での緩いテーパ（１〜２ｍｍ／１０００）の外周面を有しているところから、上記したような亀裂が発生することは抑制されている。
しかし、リールシートの取付部においては、釣り竿を釣り人が支える支点となるので、荷重が集中するところから、その取付部において、強度不足を来たすことは十分考えられるところから、何らかの対応を必要としていた。
【０００８】
本発明の目的は、上記したような不都合を回避しながら、ジギング操作を軽快に行え、長期に亘る使用にも安定した性能を発揮し得る釣り竿用のグリップを提供する点にある。
【課題を解決するための手段】
【０００９】
［構成］
請求項１に記載の本願発明の特徴構成は、リールシート装着部位から竿元端に亘って、竿素材に台座シートを巻回し、前記リールシート装着部位においては、竿先側から竿元側に至る範囲に亘って大径化するように研磨加工を施したテーパ面を有するリールシート用テーパ状取付座に形成し、前記テーパ状取付座の竿元端部から手元側竿体の竿元端までは、前記リールシート用テーパ状取付座の竿元側端部の外形と同じ外径が維持されるグリップ取付用直線状取付座に形成してある点にあり、その作用効果は次の通りである。
また、請求項２における特徴構成は、前記テーパ面のテーパが、６．４９／１０００〜１４．４１／１０００である点にあり、その作用効果は次の通りである。
【００１０】
〔作用〕
上記のようにリールシート用テーパ状取付座を形成することによって、取付座の竿先端と竿体外周面との段差部分が緩和されて、従来のように、その部分での亀裂の発生等を抑制できる。
また、テーパ状取付座では、竿先側から竿元側に掛けて徐々に大径化するものであるので、そのテーパ状態に応じた曲りを呈することになり、突っ張り感が抑制されて、釣り操作が容易になる。
【００１１】
［効果］
したがって、亀裂発生部位にガラス繊維製のプリプレグ補強シート等を手当てする、重量化を招来し易い方法を採ることなく、部品取付も容易で、釣り操作を円滑に行うことのできる釣り竿用握り部を設けることができた。
また、リールシート用テーパ状取付座の竿元側には、グリップ取付用直線状取付座が形成されており、リアグリップ等を取り付ける場合には、テーパ状取付座のように竿先側から取り付けるだけでなく竿元側からも装着することができる。
【００１７】
［構成］
請求項３に記載の本願発明の特徴構成は、前記台座シートがプリプレグシートであり、かつ、そのプリプレグシートにおける強化繊維の向きは竿軸線に対して傾斜する状態に設定してあり、前記プリプレグシートを竿素材に複数プライ巻回して取付座を形成している点にあり、その作用効果は次の通りである。
【００１８】
〔作用効果〕
台座シートとして樹脂同様に軽量なプリプレグシートを採用し、複数プライ巻回することによっても、重量増にはならず、かつ、十分な研磨代を設けて、テーパ加工を容易にしてある。
【００１９】
［構成］
請求項４に記載の本願発明の特徴構成は、請求項１〜３のうちのいずれか一項に記載の釣り竿用のグリップ構造を備えた釣り竿である点にあり、その作用効果は次の通りである。
【００２０】
〔作用効果〕
釣り竿のグリップ部も曲り易い構造となっているので、釣り操作が一層容易になった釣り竿を提供できるに至った。
【図面の簡単な説明】
【００２１】
【図１】図１（ａ）は、主として手元側竿体を示す側面図、（ｂ）はナット体と可動フードを断面にしたリールシートを示す側面図である。
【図２】図２は、竿素材に台座シートを巻回し、リールシート装着部分にテーパ加工をほどこした、第１実施形態の竿体を示す側面図である。
【図３】図３は、ナット体と可動フード、リールシート、中間グリップ体、リア装飾用リング体、リアグリップ体の手元側竿体に取り付ける前の分解縦断側面図である。
【図４】図４は、竿素材に台座シートを巻回し、リールシート装着部分のみならず全体に亘って同一外径に加工をほどこした、従来技術の竿体を示す側面図である。
【図５】図５は、台座シートを施してはいない、竿素材そのものの側面図である。
【図６】図６は、竿素材に台座シートを巻回し、リールシート装着部分のみならず全体に亘ってテーパ加工をほどこした、第２実施形態の竿体を示す側面図である。
【図７】図７は、竿素材に台座シートを施す前の状態を示す説明図である。
【図８】図８は、竿素材に台座シートを巻回し、リールシート装着部分にテーパ加工をほどこした、第１実施形態の竿体を示す説明図である。
【図９】図９は、図８に記載した部分の諸寸法を示す図表である。
【発明を実施するための形態】
【００２２】
〔第１実施形態〕
ジギング用に使用される釣り竿Ａについて説明する。
図１に示すように、釣り竿Ａは、グリップ部Ｂ及びリールシート３を有する手元側竿体１と、手元側竿体１に並継式に連結される穂先側竿体２とを備えて、構成されている。
手元側竿体１は、後記するようにプリプレグ製の筒状体であり、竿先端から竿元端までの単一の竿素材１Ａで構成される。
リールシート３は、ナイロン、ＰＥ、ＰＥＴ等のエンジニアリング樹脂等をインジェクション成形して形成される。
【００２３】
グリップ部Ｂは、リールシート３より竿先側に位置するフロントグリップ部Ｂ１と、リールシート３より竿元側に配置された中間グリップ部Ｂ２と、竿元端部に配置されたリアグリップ部Ｂ３とでなる。
これらのグリップ部Ｂにおける中間グリップ部Ｂ２とリアグリップ部Ｂ３は、ＥＶＡ、ＮＢＲ等の軟質材で構成され、手元側竿体１を構成する単一竿素材１Ａに外嵌装着されている。各グリップ部Ｂにおける軟質材は、同一材でもよく、または、設置位置によって異なる材質のものを使用してもよい。また、表面に対しても滑り難い梨地模様等を施してもよい。
【００２４】
図１に示すように、リールシート３は、竿素材１Ａに外嵌固定される筒状本体３Ａと、筒状本体３Ａに一体形成されているリール脚取付部３Ｂと、リール脚取付部３Ｂと竿軸線を挟んで反対側に延出されたトリガー３Ｃとを備えている。
リール脚取付部３Ｂは、竿元側に位置する固定フード３ａと、固定フード３ａに対向する可動フード３ｂとの間に形成されている。図中８は、可動フード３ｂを竿軸線方向に沿ってスライド往復移動させるナット体である。
【００２５】
図３に示すように、筒状本体３Ａにおける竿先側にはネジ部３Ｄが形成してあり、ナット体８を螺合させて可動フード３ｂを移動させる構成がとられている。筒状本体３Ａの軸芯位置には、貫通孔３Ｅが形成されており、この貫通孔３Ｅ内に竿素材１Ａを内嵌して、リールシート３を竿素材１Ａに装着するように構成してある。
【００２６】
次に、リアグリップ部Ｂ３について説明する。図１〜図３に示すように、リアグリップ部Ｂ３は、手元側竿体１に外嵌するリア装飾用リング体４と、リア装飾用リング体４より柔軟性が高くその装飾用リング体４を竿先側端に嵌合保持するリアグリップ体５と、リアグリップ体５の後端部に装着される装飾用連結リング体６と、装飾用連結リング体６を挟んで後端に位置する元側尻リング体７を備えて構成される。リアグリップ体５の軸芯位置には、貫通孔５Ｅが形成されており、この貫通孔５Ｅ内に竿素材１Ａを内嵌して、リアグリップ体５を竿素材１Ａに装着するように構成してある。
【００２７】
リア装飾用リング体４及び装飾用連結リング体６は、アルミニュウム、チタン等の軽量金属か、又は、ナイロン、ＰＥ、ＰＥＴ等のエンジニアリング樹脂等で形成される。これらについては、いずれも、装飾性を向上させる為に、光沢のある金属メッキ等が施されてもよい。
【００２８】
リアグリップ体５の構造について説明する。
リアグリップ体５は、図３に示すように、軸芯長の長い筒状体であり、軸芯長の中間位置において一定の外径を呈する筒状部５Ａと、その筒状部５Ａの竿先側に先側ほど縮径する先細部５Ｂと筒状部５Ａの竿元側に元側程拡径する拡大部５Ｃとを形成し、先側と元側の開口部に、リア装飾用リング体４及び装飾用連結リング体６とを嵌合装着する係合凹部５ａ、５ｂを設けてある。
【００２９】
元側尻リング体７は、図３に示すように、竿元端が閉塞端となっているリング体であり、軸芯位置に竿素材１Ａの竿元端部を内嵌する係合穴７ａが形成してある。この係合穴７ａを竿素材１Ａに外嵌することによって、元側尻リング体７を竿素材１Ａに装着する。元側尻リング体７を竿素材１Ａに装着することによって、装飾用連結リング体６をリアグリップ体５とで挟み込み固定する。
【００３０】
図１及び図３に示すように、可動フード３ｂとナット体８とは、一体で軸芯方向に移動し、円周方向には相対的に回動する係合機構８ａによって連結されている。図示してはいないが、リールシート３のネジ部３Ｄには、軸芯方向に沿って可動フード３ｂを案内する係合溝が形成してあり、可動フード３ｂには、係合溝に係合する係合片が形成してある。
【００３１】
ナット体８は、ナイロンやポリエチレン等の樹脂で形成されており、軸芯方向に長い筒状体であり、内部に竿素材１Ａを内挿する内部空間を形成してある。内部空間の内周面にリールシート３のネジ部３Ｄに螺合する雌ネジ部８Ａを形成してあり、ナット体８をリールシート３のネジ部３Ｄに雌ネジ部８Ａを介して螺着することによって、ナット体８で可動フード３ｂを軸芯方向に沿って移動可能に構成する。
ナット体８は、雌ネジ部８Ａの形成位置より竿先側に延出された長尺状のものであり、図示してはいないが、外周面にＥＶＡ等の柔軟性部材を装着してフロントグリップ部Ｂ１に兼用してもよい。
【００３２】
次に、中間グリップ部Ｂ２について説明する。図３に示すように、中間グリップ部Ｂ２は、手元側竿体１に外嵌する中間装飾用リング体９と、中間装飾用リング体９より柔軟性が高くその中間装飾用リング体９を竿元端に嵌合保持する中間グリップ体１０とを備えて構成される。
中間グリップ体１０の軸芯位置には、貫通孔１０Ｅが形成されており、この貫通孔１０Ｅ内に竿素材１Ａを内嵌して、中間グリップ体１０を竿素材１Ａに装着するように構成してある。
中間グリップ体１０は、図１〜図３に示すように、軸芯長の長い筒状体であり、軸芯長の中間位置において一定の外径を呈する筒状部１０Ａと、その筒状部１０Ａの竿元側に尻側に縮径する先細部１０Ｂと筒状部１０Ａの竿先側に先側程拡径する拡大部１０Ｃを形成し、元側の開口部に、中間装飾用リング体９を嵌合装着する係合凹部１０ａを設けてある。
【００３３】
以上、リールシート等を装着する竿素材１Ａは次のようになっている。図示してはいないが、炭素繊維等の強化繊維を一方向に引き揃えた強化繊維群に、エポキシ樹脂やフェノール樹脂等の熱硬化性樹脂を含浸させてプリプレグシートを形成する。例えば、３層にプリプレグシートを巻回して竿素材１Ａを作成する場合には、周方向に強化繊維を引き揃えたプリプレグシートをマンドレルに巻回し、その上から、軸芯方向に強化繊維を引き揃えたプリプレグシートを巻回し、更に、周方向又は軸芯方向に強化繊維を引き揃えたプリプレグシートを巻回する。
【００３４】
その上からポリエステルテープ（図示せず）を螺旋状に隙間なく巻回し、マンドレルに巻回した状態で焼成炉とで焼成した後に、ポリエステルテープを剥離し、マンドレルを外して、竿素材１Ａを取り出す。
このようにして成形した竿素材１Ａは、竿先側端から竿元端まで、略１〜２ｍｍ／１０００ｍｍ位のテーパ状外周面を有している。
【００３５】
リールシート用テーパ状取付座１１について説明する。図７に示すように、手元側竿体１を形成する竿素材１Ａに対して、プリプレグ製の台座シート１２を巻回する。台座シート１２は、台形状を呈しており、竿先側の一辺１２Ａが軸線に対して傾斜する状態に切断され、竿元側の他辺１２Ｂは軸線に対して直交する状態に切断されている。
このような台座シート１２をリールシート装着部位から竿元端に亘って竿素材１Ａに巻回する。巻回回数は、２〜５プライであるが、竿径が大きい程プライ数が多くなる傾向にある。
【００３６】
台座シート１２における強化繊維ｃの向きは竿軸線Ｘに対して傾斜する状態に設定してある。これによって、軸線方向に沿った場合に比べて、竿が曲りを生じた場合に、この台座シート１２の部分が曲げの抵抗となる状態を緩和でき、より柔軟性の高い竿とすることができる。
竿軸線Ｘに対して傾斜する状態であれば、強化繊維ｃをクロスに編み込んだものであってもよく、又は、一方向に強化繊維ｃを引き揃えたプリプレグシートを、強化繊維ｃが互いに交差するように、重ね合わせたバイアス式のものを使用してもよい。
更には、強化繊維ｃの向きは、竿軸線Ｘに沿って引き揃えたものでもよく、又は、竿軸線Ｘに直交する円周方向に沿ったものでもよい。
また、台座シート１２として、強化繊維ｃ群に樹脂を含浸させてプリプレグを使用しているが、樹脂繊維ｃをランダムに絡み合わせた不織布等を使用することも可能である。
【００３７】
そして、この台座シート１２を巻回した竿素材１Ａに対して、加工を施す。つまり、図示していないが、センタレス研磨機によって、この外周面を研磨する。図２に示すように、リールシート装着部位においては、外径が徐々に大径化するテーパ面Ｌ１に形成する。このテーパ面Ｌ１をリールシート用テーパ状取付座１１と称する。
一方、リールシート用テーパ状取付座１１の後端側においては、リールシート用テーパ状取付座１１の後端外径と同じ外径に維持されるグリップ取付用直線状取付座１３が形成される。
【００３８】
このようにして作成されるリールシート用テーパ状取付座１１とグリップ取付用直線状取付座１３との寸法関係については、例えば、図９に示すようになっている。
（１）小径竿について
リールシート用テーパ状取付座１１における竿先側径Ｂは８．７０ｍｍ、竿元側径Ａは９．７０ｍｍで長さＬｂは１５４ｍｍで、テーパは６．４９／１０００である。なお、以後提示するＬｂ寸法は、最低長さを表示したものであり、その長さより長くてもよい。
（２）中径竿について
リールシート用テーパ状取付座１１における竿先側径Ｂは１１．５０ｍｍ、竿元側径Ａは１２．８０ｍｍで長さＬｂは１１１ｍｍで、テーパは１１．７１／１０００である。
（３）大径竿について
リールシート用テーパ状取付座１１における竿先側径Ｂは１２．３０ｍｍ、竿元側径Ａは１３．９０ｍｍで長さＬｂは１１１ｍｍで、テーパは１４．４１／１０００である。
（４）なお、グリップ取付用直線状取付座１３においては、限りなく、テーパの無い状態に製作されているが、１ｍｍ／１０００以下であれば十分である。
【００３９】
以上のように形成したリールシート用テーパ状取付座１１に対して、図２の二点鎖線で示すように、リールシート３を外嵌装着し、接着剤で取付固定する。また、グリップ取付用直線状取付座１３には中間グリップ体１０とリアグリッ体５、及び、元側尻リング体７とが外嵌装着固定される。
尚、リールシート用テーパ状取付座１１にリールシート３を取付る場合に、従来ならばリールシート３は必ず、外径の小さな竿先側から装着する必要があったが、リールシート３とリアグリップ体５等は、竿元側からも取り付けることができ、組み付け方法の自由度が大である。
なお、図示しないがリールシート３と竿素材１Ａの間に竿剛性に影響しないスペーサを入れても良い。
【００４０】
このように、リールシート装着部をテーパ加工することによって、ジギング操作を行って魚を誘う際に、竿の曲りがリールシート装着部においても見られ、この部分が突っ張ることが抑制されて釣り人が違和感を感じることが少なくなり、操作感が良好なものとなる。
【００４１】
〔第２実施形態〕
この第２実施形態では、第１実施形態でリールシート用テーパ状取付座１１の後端側に形成したグリップ取付用直線状取付座１３の部分も、テーパ状に形成することについて説明する。
図７に示すように、手元側竿体１を形成する竿素材１Ａに対して、プリプレグ製の台座シート１２を巻回する。台座シート１２は、台形状を呈しており、竿先側の一辺１２Ａが軸線に対して傾斜する状態に切断され、竿元側の他辺１２Ｂは軸線に対して直交する状態に切断されている。
このような台座シート１２をリールシート装着部位から竿元端に亘って竿素材１Ａに巻回する。巻回回数は、２〜５プライであるが、竿径が大きい程プライ数が多くなる傾向にある。
【００４２】
そして、この台座シート１２を巻回した竿素材１Ａに対して、加工を施す。つまり、センタレス研磨機によって、この外周面を研磨する。図６に示すように、リールシート装着部位からリアグリップ体装着部位に至る全長Ｌにおいて、外径が徐々に大径化するテーパ面に形成する。このテーパ面を全長テーパ状取付座１４と称する。
【００４３】
この全長テーパ状取付座１４においては、図９に於いて記載したように、テーパを、小径竿では６．４９ｍｍ／１０００、中径竿では１１．７１ｍｍ／１０００、大径竿では１４．４１ｍｍ／１０００、に設定するものであるが、これらのテーパに限定されるものではなく、２０ｍｍ／１０００までのテーパを採用することができる。
【００４４】
このように、リールシート装着部位だけでなく、リアグリップ装着部位までテーパ状に形成してあるので、釣り竿の全体の曲りが更に良好になり、一層、釣り操作が好ましいものとなる。
【００４５】
〔別実施形態〕
（１）摘要する釣り竿としては、トリガー３Ｃのないスピニングリール装着用のリールシートを持つものにも適用できる。
（２）ジギング用釣り竿に限定されず、他の釣り竿に適用してもよい。
【産業上の利用可能性】
【００４６】
本発明は、ジギング用として主として船竿等に使用され、手元のリールシート部分及びグリップ部分の曲りがよく、良好な釣り操作感を与える釣り竿を構築できた。
【符号の説明】
【００４７】
Ａ        釣り竿
Ｂ        グリップ部
Ｂ１      フロントグリップ部
Ｂ２      中間グリップ部
Ｂ３      リアグリップ部
１        手元側竿体
１Ａ      竿素材
２        穂先側竿体
３        リールシート
３Ａ      筒状本体
３Ｂ      リール脚取付部
３Ｃ      トリガー
３Ｄ      ネジ部
３Ｅ      貫通孔
３ａ      固定フード
３ｂ      可動フード
４        リア装飾用リング体
５        リアグリップ体
５Ａ      筒状部
５Ｂ      先細部
５Ｃ      拡大部
５Ｅ      貫通孔
５ａ      係合凹部
５ｂ      係合凹部
６        装飾用連結リング
７        元側尻リング体
７ａ      係合穴
８        ナット体
８Ａ      雌ネジ部
８ａ      係合機構
９        中間装飾用リング体
１０      中間グリップ体
１０Ａ    筒状部
１０Ｂ    先細部
１０Ｃ    拡大部
１０Ｅ    貫通孔
１０ａ    係合凹部
１１      リールシート用テーパ状取付座
１２      台座シート
１２Ａ    竿先側の一辺
１２Ｂ    竿元側の他辺
１２Ｃ    シート面
１３      グリップ取付用直線状取付座
１４      全長テーパ状取付座
ｃ        強化繊維
Ｘ        竿軸線
Ｌ１      テーパ面
Ｌ        全長
【図１】
0006669441.tif 000002
【図２】
0006669441.tif 000003
【図３】
0006669441.tif 000004
【図４】
0006669441.tif 000005
【図５】
0006669441.tif 000006
【図６】
0006669441.tif 000007
【図７】
0006669441.tif 000008
【図８】
0006669441.tif 000009
【図９】
0006669441.tif 000010